(57)【要約】      （修正有）【課題】一般市場にて普及している接着テープロールホルダーを使用する場合の可搬性と収納性の維持と接着テープを使う作業に於ける接着テープホルダーの安定した固定状態を共有することが出来る固定装置を提供する。【解決手段】一般市場にて普及している接着テープロールホルダー７の形状と寸法値の共通性に着眼し、接着テープロール８が装着されたテープロールホルダー７の両側面を挟持する機構と、その機構を保持固定し作業面に固定する付加装置手段を構成する事に依って、一般市場にて普及している接着テープが装着されたテープロールホルダーへ７の普遍的な対応性の維持、並びに、一般消費者による容易な着脱性の確保と固定装置の小型軽量化を満足し、固定装置を装着した接着テープロールホルダー７の収納性と可搬性、並びに、接着テープを使用する作業の作業性の向上を満足させるものである。【選択図】図１
2004292160.tif 000002
【特許請求の範囲】
【請求項１】
固定装置を付加する事を目的とした機構構造を具備しない固定不可能な接着テープロールホルダーの構造体に、何らの追加加工をする事無く付加装着して該テープロールホルダーを固定可能にする事を特徴とする付加装置手段。
【請求項２】
前記固定する手段として磁力を用いた事を特徴とする特許請求の範囲第１項に示した付加装置手段。
【請求項３】
前記固定する手段として真空圧に依る吸着力を用いた事を特徴とする特許請求の範囲第１項に示した付加装着手段。
【請求項４】
前記固定手段として固定場所に挟持する機構を用いた事を特徴とする特許請求の範囲第一項に示した付加装置手段。
【発明の詳細な説明】
【０００１】
【発明の属する技術分野】本発明は、一般市場に普遍的に普及している安定的に固定する事を目的とした機構構造を保有しない接着テープロールホルダーの筐体に何らの形状並びに機構上の変更を伴う加工を施す事無く、容易に着脱する事が可能な付加装置を装着する事に依り該接着テープロールホルダーの持つ可搬性、収納性を維持し、且つ、安定した固定設置状態を提供する事を可能とする着脱可能な接着テープロールホルダーの付加装置手段に関するものである。
【０００２】
【従来の技術】一般市場にて普及している接着テープロールを任意に定置固定保持する方法として、接着テープロールからテープを引き出す力により接着テープロールホルダーが容易に動く事が無い様に固定保持する重錐を装備し、該テープロールホルダーの底面と設置個所表面との接触抵抗を維持する事により安定性を保つ接着テープロールホルダーの機構が用いられている。従って、該接着テープロールホルダーは、その機構構造の性質並びに設計構造上、その収納性と持出し移動時の可搬性の観点からの欠点を有する。
【０００３】
【特許文献１】公開実用新案広報、昭６４−４５６５７に示される接着テープロールホルダー固定装置は、接着テープロールホルダー自体を特殊機構構造とした固定機能を持たせたものであり、且つ、該テープロールホルダーにのみ適合する特定形状に設計された固定機構を装着する事によって接着テープロールホルダーの固定を可能とするものである。従って、一般市場にて普及している接着テープロールホルダーに対する普遍的な適応性を目的としたものでは無く本発明と全く意を異にするものである。
【０００４】
【発明が解決しようとする課題】本発明は、一般市場にて普遍的に普及している接着テープロールが装着された接着テープロールホルダーを安定的に固定する目的を満足する為に、一般消費者による該接着テープロールホルダーへの何等の追加工の必要性を排除し、付加固定装置の装着後に於いても該接着テープロールホルダーがもつ軽量性、可搬性、収納性を損なうこと無く、且つ、固定場所の条件に対する付加固定装置の選択適応性を維持し、付加装置を容易に着脱する事が可能な付加装置手段を提供する事にある。
【０００５】
【課題を解決するための手段】本発明は、現在一般市場にて普遍的に普及している図９に示す接着テープが装着された接着テープロールホルダーが持つ近似的相似形状と特定箇所が持つ誤差範囲の近似寸法値に着目し、それらの形状と寸法値に適合出来る構造、並びに、接着テープの幅により変化する接着テープロールホルダーの厚み寸法の変化に対応出来る構造を具備した接着テープロールホルダーの挟持固定機構と、その挟持固定機構を保持する固定基板機構を組み合わせる事によって接着テープの使用者が望む固定箇所条件への対応性を解決するものである。
【０００６】
【発明の実施の形態】図９に示す側面形状、並びに、図１０に示す底面形状を持つ一般市場にて普遍的に普及している接着テープロールホルダーに本発明の特許請求項１の付加装置手段の実施事例として、該接着テープロールホルダーに特許請求項２に述べる磁気力による吸着力を用いた付加装置を装着した図１に示す側面図、並びに、図２に示す上面から見た平面図に示す付加装置構造に基づき説明する。
【０００７】
即ち、本発明の付加固定装置を構成する機構は、図１並びに図２に示す該接着テープロールホルダーを固定保持する挟持板１、これと対を成す挟持板２、及び、挟持板１と挟持板２によって該接着テープロールホルダーの筐体を締付け固定するためのビス９、及び、挟持板を保持固定する磁性体材料で形成する固定基盤とこれに装着した磁石によって構成する磁気回路により構成している。
【０００８】
図３、並びに、図４に示す挟持板の構造と形態、及び、図５に示す固定基盤の天面構造は、特許請求項２、同３、同４の何れの場合に於いても適用可能とする同一形状と同一機能を持つものである。
【０００９】
又、該固定基盤の長辺の側面を図１２の固定基盤２３に示すように折り曲げ、Ｌ型固定アーム２４が着脱可能な構造とする事によって、特許請求項４の機能単独、又は、特許請求項２、並びに、特許請求項３との併用を可能とする事が出来る。
【００１０】
図３に示す接着テープロールホルダーの挟持板の固定基盤への組付機構１３ａ及び１３ｂを組付保持する図５の固定基盤のプレス打抜穴１４と、図３の挟持板と一対となる図４に示す挟持板の固定基盤への組付機構１１ａと１１ｂを組付保持する図５の固定基盤のプレス打抜穴１５ａと１５ｂの構造と関係は、接着テープの幅により異なる該接着テープロールホルダーの幅への対応が可能な構造を維持し、前述特許請求項の何れの場合に於いても適用できる共通性を維持している。
本発明の付加装置手段は、該接着テープロールホルダー筐体の中空孔１９を両側面より、図３並びに図４に示す互いに向き合う凸型構造６、並びに、凸型構造１２を、特定工具を用いる事無く締付け可能な図７又は図８に示すボルトにより締め付けることに依り、該接着テープロールホルダーを図３、図４に示す中心に向かって傾斜する凸型構造１２及び６の傾斜によって自動的に位置出しすると共に、図９に示す接着テープロールホルダーの両側面筐体の中空孔１９に接する平坦部１８と他の筐体の側面の同部位を図３の固定爪３、及び、図４の固定爪４によって図２に示す如く保持固定し、同時に、図５に示す固定基盤４の挟持板組み付け溝１５ａと１５ｂ内を図４に示す挟持板の爪１１ａ及び爪１１ｂが前述のネジ５の締付にともなってスライドする構造によって接着テープの幅により異なる接着テープロールホルダーの厚みの変化への対応性を維持しながら該接着テープロールホルダーの底面平坦部を固定基盤５に密着固定保持した状態を形成するものである。
【００１１】
【発明の効果】本発明は、現在一般市場にて最も普遍的に普及している固定手段を具備しない接着テープを装着した接着テープロールホルダーへの普遍的な適応性を満足するものであり、該接着テープロールホルダーがもつ可搬性、収納性、軽量性を維持し、且つ、該接着テープロールホルダー自体には何らの追加加工を施す必要の無い付加固定装置を、簡単な着脱性と設置固定場所の条件への対応性を満足させる事に依り、一般消費者による該接着テープロールホルダーの固定設置を容易にし、今迄、困難であった該接着テープロールホルダーの固定に対する問題を全面的に解決することができる効果を持たせる事ができる。
【図面の簡単な説明】
【図１】本発明の特許請求項２に基づく付加固定装置を、斜線で示す一般市場にて普遍的に普及している接着テープロールホルダーに装着した状態の側面図。
【図２】図１に述べた付加固定装置を、斜線で示す接着テープロールホルダーに装着した状態の上面より見た平面図。
【図３】図４に示す部品と一対となる該接着テープロールホルダーの挟持板の平面図、並びに、側面図。
【図４】図３に示す部品と一対となる該接着テープロールホルダーの挟持板の平面図、並びに、側面図。
【図５】図３、並びに、図４に示す挟持板を保持固定するためのプレス打抜穴形状を示す固定基盤天面の平面図。
【図６】特許請求項２に述べる磁力を利用した磁気吸着固定基盤の側面図。
【図７】硬貨にて締付けが可能な溝２１を持つ図３と図４に示す挟持板を締付固定するボルトの側面図。
【図８】指にて締付けが可能なツマミ形状を持つ図３と図４に示す挟持板を締付固定するボルトの側面図。
【図９】一般市場に普遍的に普及している接着テープロールホルダーの側面図。
【図１０】図９の接着テープロールホルダーの底面を示す平面図。
【図１１】特許請求項３に述べる真空圧を利用する吸着盤を装備した固定基板の側面図。
【図１２】特許請求項４に述べる機械的挟持機構を装備した固定基板の側面図。
【符号の説明】
１  接着テープロールホルダーの筐体を固定保持する図４に示す挟持板。
２  接着テープロールホルダーの筐体を固定保持する図３に示す挟持板。
３  接着テープロールホルダーの筐体壁を固定保持する爪構造。
４  接着テープロールホルダーの筐体壁を固定保持する爪構造。
５  固定基盤。
６  接着テープロールホルダーの中空孔を正規の位置に誘導する中心に向かって凸となるスロープを持つ挟持板の構造部分
７  接着テープロールホルダーの筐体。
８  接着テープロール。
９  挟持板を締付けるボルト。
１０  永久磁石。
１１  スライド側挟持板を固定基盤に組付ける為の爪。
１２  接着テープロールホルダーの中空孔を正規の位置に誘導する中心に向かって凸となるスロープを持つ挟持板の構造部
１３  固定側挟持板を固定基盤に組付け固定する挟持板の機構部。
１４  １３の機構部を保持する為の固定基盤のプレス打抜き穴。
１５  可動側挟持板を保持する為の固定基盤のプレス打抜き穴。
１６  二枚の挟持板を締付け接着テープロールを固定させる締付けボルトのヘッド構造部。
１７  接着テープロールホルダー底面の平坦部。
１８  接着テープロールホルダー筐体の底面と並行条件にある平坦部。
１９  接着テープロール保持機構部の中空孔。
２０  接着テープロールボビンを貫通しテープロールを保持する接着テープロールホルダー筐体機構部。
２１  硬貨が挿入可能な挟持板締付けボルトのヘッド構造
２２  吸着盤。
２３  固定基盤の長辺の両側面を折り曲げ挟持機構が装着可能な孔を持つ固定基盤。
２４  Ｌ型固定アーム。
２５  挟持固定用締め付けナット
２６  挟持固定摺動機構アーム
【図１】
2004292160.tif 000003
【図２】
2004292160.tif 000004
【図３】
2004292160.tif 000005
【図４】
2004292160.tif 000006
【図５】
2004292160.tif 000007
【図６】
2004292160.tif 000008
【図７】
2004292160.tif 000009
【図８】
2004292160.tif 000010
【図９】
2004292160.tif 000011
【図１０】
2004292160.tif 000012
【図１１】
2004292160.tif 000013
【図１２】
2004292160.tif 000014